(57)【要約】【課題】隣接する照明器具同士間の極端な明暗差の発生を防止または低減して、この極端な明暗差に起因する違和感や不快感を低減または緩和する照明制御装置を提供する。【解決手段】第２照明器具３ｄと；第２照度センサ３ｂと；他の照明器具の調光信号を入力させる第２他の調光信号入力部３ｅと；照度センサにより検出された照度検出値が照度目標値となるように前記照明器具の調光度をフィードバック制御する第１の調光手段３ｃ１およびこの第１の調光手段による調光時の前記照明器具の自己調光度と前記他の調光信号入力部に入力されている他の照明器具の調光度との差が所定値以上であるときに、第１の調光手段による調光を停止して、自己の調光度と他の照明器具の調光度との差が小さくなるように前記照明器具の調光度を制御する第２の調光手段３ｃ２を有する第２制御部３ｃと；を具備している。【選択図】  図３
2009231137.tif 000002
【特許請求の範囲】
【請求項１】
照明器具と；
この照明器具により主に照明される照明エリアの照度を検出する照度センサと；
他の照明器具の調光信号を入力させる他の調光信号入力部と；
前記照度センサにより検出された照度検出値が照度目標値となるように前記照明器具の調光度をフィードバック制御する第１の調光手段およびこの第１の調光手段による調光時の前記照明器具の自己調光度と前記他の調光信号入力部に入力されている他の照明器具の調光度との差が所定値以上であるときに、第１の調光手段による調光を停止して、自己の調光度と他の照明器具の調光度との差が小さくなるように前記照明器具の調光度を制御する第２の調光手段を有する制御手段と；
を具備していることを特徴とする照明制御装置。
【発明の詳細な説明】
【技術分野】
【０００１】
本発明は照明器具に照度センサ等を搭載した照明制御装置に関する。
【背景技術】
【０００２】
従来、この種の照明制御装置の一例としては、照明器具に照度センサを搭載し、この照度センサにより検出された照度検出値が照度目標値で一致し一定するようにフィードバック制御する照明制御装置が知られている（例えば特許文献１参照）。
【特許文献１】特開２０００−６８４７７号公報
【発明の開示】
【発明が解決しようとする課題】
【０００３】
しかしながら、このような従来の照明制御装置では、その複数の照明制御装置を隣接するように配設した場合でも、各々の照明制御装置は、各々の照度センサの照度検出値に基づいて各々の照明器具の光出力をそれぞれ個別に制御するに過ぎない。
【０００４】
このために、隣接する照明器具の一方が消灯し、他方が点灯すると、極端な明暗差が発生し、点灯中のエリア側に居る人に違和感や不快感を与えるという課題がある。
【０００５】
本発明は、このような事情を考慮してなされたもので、その目的は、隣接する照明器具同士間の極端な明暗差の発生を防止または低減して、この極端な明暗差に起因する違和感や不快感を低減または緩和する照明制御装置を提供することにある。
【課題を解決するための手段】
【０００６】
請求項１に係る照明制御装置は、照明器具と；この照明器具により主に照明される照明エリアの照度を検出する照度センサと；他の照明器具の調光信号を入力させる他の調光信号入力部と；前記照度センサにより検出された照度検出値が照度目標値となるように前記照明器具の調光度をフィードバック制御する第１の調光手段およびこの第１の調光手段による調光時の前記照明器具の自己調光度と前記他の調光信号入力部に入力されている他の照明器具の調光度との差が所定値以上であるときに、第１の調光手段による調光を停止して、自己の調光度と他の照明器具の調光度との差が小さくなるように前記照明器具の調光度を制御する第２の調光手段を有する制御手段と；を具備していることを特徴とする。
【発明の効果】
【０００７】
請求項１に係る発明によれば、照明器具を、第１の調光手段により、照度センサの照度検出値が照度目標値となるように調光制御しているときに、自己の調光度と、調光信号入力部に入力されている他の照明器具の調光度との差が所定値以上であると、第２の調光手段により判断したときは、この第２の調光手段により、前記第１の調光手段による調光が停止され、自他調光度の差が縮小するように自己の照明器具の調光度が制御される。
【０００８】
したがって、隣接している複数の照明器具の両調光度の差、すなわち明るさの差を所定値未満に制御することができるので、隣接している照明器具の大きな明るさの差に起因する違和感や不快感を低減することができる。
【発明を実施するための最良の形態】
【０００９】
以下、本発明の実施形態を添付図面に基づいて説明する。なお、複数の添付図面中、同一または相当部分には同一符号を付している。
【００１０】
図１は本発明の第１の実施形態に係る照明制御装置を具備した照明制御システムの全体構成を一部省略して示す模式図、図２は図１で示す第１照明制御装置２の構成を示すブロック図、図３は図１で示す第２照明制御装置３の構成を示すブロック図である。
【００１１】
図１に示すように、照明システム１は、照明エリアＡに配設される照明器具に照度センサ等を一体に搭載した第１照明制御装置２と、照明エリアＢに配設される照明器具に照度センサを一体に搭載した第２照明制御装置３とを具備している。
【００１２】
図２に示すように第１照明制御装置２は、第１器具本体Ｓ２に、第１電源部２ａ、第１照度センサ２ｂ、第１制御部２ｃ、１以上の第１照明器具２ｄ、第１調光信号出力部２ｅをそれぞれ一体に配設している。第１電源部２ａは商用電源線ＡＣ等の給電部Ｐに接続され、第１照明制御装置２の内部電源を生成する。
【００１３】
第１制御部２ｃは、例えばマイクロプロセッサ等から構成され、第１照度センサ２ｂから照度検出値信号を読み出し、この照度検出値を、図示省略の設定器により設定された照度目標値と比較し、この照度検出値が照度目標値に一致し、かつ一定するように照明器具２ｄの出力をフィードバック制御する調光信号を生成し、照明器具２ｄと第１調光信号出力部２ｅとにそれぞれ与える。この第１調光信号出力部２ｅは、この第１制御部２ｃからの調光信号を伝送する照明エリアＡの調光信号線４により第２照明制御装置３の他の第２調光信号入力部３ｅに接続されている。
【００１４】
第１照明器具２ｄは、例えば蛍光ランプ等の光源と、この光源の点，消灯制御や調光を行うインバータ点灯装置等の点灯装置を照明器具本体Ｓ２に配設しており、この点灯装置により第１制御部２ｃからの点，消灯制御信号や調光信号等の照明制御信号を受けて、蛍光ランプ等光源の点，消灯制御と調光を行うようになっている。
【００１５】
図３に示すように第２照明制御装置３は、第２器具本体Ｓ３に、第２電源部３ａ、第２照度センサ３ｂ、制御手段の一例である第２制御部３ｃ、１以上の第２照明器具３ｄ、第２他の調光信号入力部３ｅをそれぞれ一体に配設している。第２電源部３ａは商用電源線ＡＣ等の給電線Ｐに接続され、第２照明制御装置３の内部電源を生成する。
【００１６】
第２照明器具３ｄは、第１照明器具２ｄと同様に、例えば蛍光ランプ等の光源と、この光源の点，消灯制御や調光を行うインバータ点灯装置等の点灯装置を照明器具本体Ｓ３に配設しており、第２制御部３ｃからの点，消灯制御信号や調光信号等の照明制御信号を受けて、蛍光ランプ等光源の点，消灯制御と調光を行うようになっている。
【００１７】
また、図１に示すように第２照明器具３ｄには、複数の調光用照明器具５，５，５…を照明エリアＢの調光信号線６によりそれぞれ並列に接続している。各調光用照明器具５は、単に第２照明制御装置３からの調光信号により同じ調光度により調光される単なる調光可能の照明器具であり、第１，第２照度センサ２ｂ，３ｂと同様の照度センサや、第１，第２制御部２ｃ，３ｃと同様の制御手段を具備していない。
【００１８】
そして、第２制御部３ｃは、第１の調光手段３ｃ１と第２の調光手段３ｃ２の２つの調光手段を有する。第１の調光手段３ｃ１は、第２照度センサ３ｂの照度検出値が照度目標値に一致し、かつ一定するように第２照明器具３ｄと調光用照明器具５，５，５の調光度をフィードバック制御する調光手段であり、図２で示す第１照明制御装置２の第１制御部２ｃと同様の調光機能である。
【００１９】
第２の調光手段３ｃ２は、この第１の調光手段３ｃ１により第２照明器具３ｄと調光用照明器具５，５，…を調光点灯させている際に、その調光度、すなわち、自己調光度と、他の調光信号入力部３ｅに入力されている他の調光度、すなわち照明器具２ｄの調光度との差（自他調光度差）が所定値、例えば２０％以上であると判断したときは、前記第１の調光手段３ｃ１による調光を強制的に停止させる。次に、第２の調光手段３ｃ２は、自他調光度差が２０％未満になるように、自己の第２の照明器具３ｄと調光用照明器具５，５，…の調光度を予め設定されている所定値（例えば１０％）だけ低下させる制御を行う。
【００２０】
したがって、照明エリアＢの第２照明器具３ｄおよび調光用照明器具５，５，…の調光度の方が、照明エリアＡの第１照明器具２ｄの調光度よりも２０％以上、高いときは第２照明制御装置３の第２の調光手段３ｃ２により、自己の第２照明器具３ｄおよび調光用照明器具５，５，…の調光度を１０％低下させる。
【００２１】
一方、照明エリアＢの第２照明器具３ｄおよび調光用照明器具５，５，…の調光度の方が、照明エリアＡの第１照明器具２ｄの調光度よりも２０％以上、低いときは第２照明制御装置３の第２の調光手段３ｃ２により、自己の第２照明器具３ｄおよび調光用照明器具５，５，…の調光度を１０％上昇させる。
【００２２】
したがって、この照明制御システム１によれば、隣り合う照明エリアＡ，Ｂどうしの明るさの差を縮小することができるので、その明るさの差が大きいことに起因する違和感や不快感を緩和することができる。なお、上記照明エリアＡの第１照明器具２ｄには、図１で示す調光用照明器具５を複数設けてもよい。
【００２３】
図４は本発明の第２の実施形態に係る照明制御システム１Ａの構成を示す模式図である。
【００２４】
この照明制御システム１Ａは、図３で示す第２照明制御装置３の両側に、図２で示す２つの第１照明制御装置２，２をそれぞれ配設した点に特徴があり、これ以外の構成は図１で示す照明制御システム１とほぼ同様である。
【００２５】
したがって、この照明制御システム１Ａによれば、その中央に位置する第２照明制御装置３の調光度と、その両側にあって互いに調光度が同一の２つの第１照明制御装置２，２の調光度との差（自他調光度差）が所定値（例えば２０％）以上である場合には、その中央列の第２照明制御装置３の第２照明器具３ｄおよび調光用照明器具５，５，…の調光度がこの第２照明制御装置３の第２の調光手段３ｃ２により、所定値（例えば１０％）上昇され、または低下される。
【００２６】
このために、中央列の第２照明器具３ｄおよび調光用照明器具５，５，５の照明エリアＡと、その両側の両照明エリアＢ，Ｂとの明るさの差を小さくし、その明るさの差の大きさに起因する違和感と不快感を緩和させることができる。
【００２７】
図５は本発明の第３の実施形態に係る照明制御システム１Ｂの全体構成を一部省略して示す模式図である。この照明制御システム１Ｂは、図１で示す第１照明制御装置２と第２照明制御装置３との間に、複数の第３照明制御装置７，７…を介在させることにより、照明エリアＡとＢの間に、照明エリアＣ，Ｄ，Ｅ…を介装させ、これら第１〜第３照明制御装置２，３，７を直列に配列し、さらに、これら第１〜第３照明制御装置２，３，７に、１以上の単なる調光用照明器具５をそれぞれ接続した点に特徴がある。
【００２８】
図６に示すように第３照明制御装置７は、器具本体Ｓ７に、第３電源部７ａ、第３照度センサ７ｂ、第３制御部７ｃ、第３照明器具７ｄ、第３他の調光信号入力部７ｅ、第３調光信号出力部７ｆをそれぞれ一体に配設している。
【００２９】
第３電源部２ａは商用電源線ＡＣ等の給電線Ｐに接続され、第３照明制御装置７の内部電源を生成する。第３他の調光信号入力部７ｅは、その上流側が第１照明制御装置１であるときは、その第１調光信号出力部２ｅに信号線を介して接続され、その下流側が第３照明制御装置７であるときは、その第１調光信号出力部７ｆに接続されている。すなわち、図５中、左端の第１照明制御装置２の調光が複数の第３照明制御装置７，７，７，…を順次経て右端の第２照明制御装置３の他の調光信号入力部３ｅへ転送されるようになっている。
【００３０】
第３制御部７ｃは、例えばマイクロプロセッサ等から構成され、第３照度センサ７ｂから照度検出値信号を読み出し、この照度検出値を、図示省略の設定器により設定された照度目標値と比較し、この照度検出値が照度目標値に一致し、かつ一定するように照明器具７ｄの出力をフィードバック制御する調光信号を生成し、照明器具７ｄと第３調光信号出力部７ｆとにそれぞれ与える。この第３調光信号出力部７ｆは、その下流側の第３照明制御装置７の第３他の調光信号入力部７ｅに、各調光信号線８を介してそれぞれ接続されている。
【００３１】
そして、第３制御部７ｃは、第３の調光手段７ｃ１と第４の調光手段７ｃ２の２つの調光手段を有する。第３の調光手段７ｃ１は、第３照度センサ７ｂの照度検出値が照度目標値に一致し、かつ一定するように第３照明器具３ｄと調光用照明器具５，５，５はの調光度をフィードバック制御する調光手段であり、図３で示す第２照明制御装置２の第１の調光手段３ｃ１と同様の調光機能である。
【００３２】
第２の調光手段７ｃ２は、この第１の調光手段７ｃ１により第３照明器具３ｄと調光用照明器具５，５，…を調光点灯させている際に、その調光度、すなわち、自己調光度と、その第３他の調光信号入力部７ｅに入力されている他の調光度、すなわち、照明器具２ｄと上流側の第３照明器具７ｄの調光度との差（自他調光度差）が所定値、例えば２０％以上であると判断したときに、前記第３の調光手段７ｃ１による調光を強制的に停止させる。次に、第４の調光手段７ｃ２は、自他調光光度差が２０％未満になるように、自己の第３照明器具３ｄと調光用照明器具５，５，…の調光度を、所定値（例えば１０％）だけ低下させる制御を行う。
【００３３】
したがって、この照明制御システム１Ｂによれば、図５中左端の照明エリアＡから照明エリアＣ，Ｄ，Ｅを経て右端の照明エリアＢまでが、照明エリアＡの調光度から所定値（例えば１０％）ずつ段階的に上昇し、または低下させることができる。
【００３４】
このために、照明エリアＡから同Ｂまでの各々隣接する照明エリア同士間の明るさ差を所定値（２０％）未満に抑制することができるので、その明るさの大きさに起因する違和感や不快感を緩和することができる。
【００３５】
なお、隣り合う照明エリア同士間の調光度の制御（変化）幅は、節電型の省エネを重視する場合と、高い明るさによる快適性を重視する場合とに応じて適宜設定することができる。
【図面の簡単な説明】
【００３６】
【図１】本発明の第１の実施形態に係る照明制御システムの全体構成を一部省略して示す模式図。
【図２】図１で示す第１照明制御装置の構成を示すブロック図。
【図３】図１で示す第２照明制御装置の構成を示すブロック図。
【図４】本発明の第２の実施形態に係る照明制御システムの全体構成を示す模式図。
【図５】本発明の第３の実施形態に係る照明制御システムの全体構成を示す模式図。
【図６】図５で示す第３照明制御装置の構成を示す模式図。
【符号の説明】
【００３７】
１，１Ａ，１Ｂ…照明制御システム、２…第１照明制御装置、３…第２照明制御装置、７…第３照明制御装置。
【図１】
2009231137.tif 000003
【図２】
2009231137.tif 000004
【図３】
2009231137.tif 000005
【図４】
2009231137.tif 000006
【図５】
2009231137.tif 000007
【図６】
2009231137.tif 000008